(57)【特許請求の範囲】
【請求項１】
電子部品が実装されたプリント基板と、
側壁部の１つが前記プリント基板を挿入するための開口部とされた矩形筒状のケースと、
前記ケースの開口部を蓋するハウジングと、該ハウジングに配設された複数の端子とを有し、前記端子のうち、前記ハウジングから延出された一方の端部が前記プリント基板のランドと接続され、他方の端部が前記ケースと前記ハウジングによる内部空間の外に露出されたコネクタと、を備える電子装置であって、
前記ケースの開口部近傍部位、及び、前記開口部位近傍と対向する前記ハウジングの部位には、前記ケースと前記ハウジングとを互いに固定するための少なくとも一対の固定部として、一方に固定用孔部が形成され、他方に前記固定用孔部に嵌合される固定用突起部が形成され、
前記ケースの開口近傍部位が前記ハウジングから離反するのを抑制するための少なくとも一対の係合部として、前記ケースにおける前記固定部が形成された壁部の少なくとも１つに、前記開口部側の端部から奥側へ前記プリント基板の挿入方向に沿って被係止部としての切り欠き部が形成され、前記ケースにおける前記切り欠き部の形成部位と対向する前記ハウジングの部位に、前記ケースの外面側において前記切り欠き部の縁部に係止する係止用突起部が形成されていることを特徴とする電子装置。
【請求項２】
前記切り欠き部の縁部は、前記挿入方向において前記ケースの奥側ほど肉厚とされ、
前記係止用突起部は、前記縁部に対応して、前記ケースの奥側ほど肉厚が薄くされていることを特徴とする請求項１に記載の電子装置。
【請求項３】
電子部品が実装されたプリント基板と、
側壁部の１つが前記プリント基板を挿入するための開口部とされた矩形筒状のケースと、
前記ケースの開口部を蓋するハウジングと、該ハウジングに配設された複数の端子とを有し、前記端子のうち、前記ハウジングから延出された一方の端部が前記プリント基板のランドと接続され、他方の端部が前記ケースと前記ハウジングによる内部空間の外に露出されたコネクタと、を備える電子装置であって、
前記ケースの開口部近傍部位、及び、前記開口部位近傍と対向する前記ハウジングの部位には、前記ケースと前記ハウジングとを互いに固定するための少なくとも一対の固定部として、一方に固定用孔部が形成され、他方に前記固定用孔部に嵌合される固定用突起部が形成され、
前記ケースの開口近傍部位が前記ハウジングから離反するのを抑制するための少なくとも一対の係合部として、前記ケースにおける前記固定部が形成された壁部の少なくとも１つに、前記プリント基板の挿入方向に沿って係止用突起部が形成され、前記ケースにおける前記係止用突起部の形成部位と対向する前記ハウジングの部位に、前記係止用突起部が係止される被係止部としての係止用溝部が形成されていることを特徴とする電子装置。
【請求項４】
電子部品が実装されたプリント基板と、
側壁部の１つが前記プリント基板を挿入するための開口部とされた矩形筒状のケースと、
前記ケースの開口部を蓋するハウジングと、該ハウジングに配設された複数の端子とを有し、前記端子のうち、前記ハウジングから延出された一方の端部が前記プリント基板のランドと接続され、他方の端部が前記ケースと前記ハウジングによる内部空間の外に露出されたコネクタと、を備える電子装置であって、
前記ケースの開口部近傍部位、及び、前記開口部位近傍と対向する前記ハウジングの部位には、前記ケースと前記ハウジングとを互いに固定するための少なくとも一対の固定部として、一方に固定用孔部が形成され、他方に前記固定用孔部に嵌合される固定用突起部が形成され、
前記ケースにおける前記固定部が形成された壁部の少なくとも１つ、及び、該壁部と対向する前記ハウジングの部位には、前記ケースの開口近傍部位が前記ハウジングから離反するのを抑制するための少なくとも一対の係合部として、一方に係止用突起部が形成され、他方に前記係止用突起部が係止される被係止部が形成されており、
前記ハウジングは、前記端子が前記内部空間の外に露出される側で複数のポートに分割され、互いに隣接する前記ポート間を隔てる複数の隔壁部を有し、
前記固定部、及び、前記係合部は、前記ハウジングにおける前記隔壁部上に形成されていることを特徴とする電子装置。
【請求項５】
電子部品が実装されたプリント基板と、
側壁部の１つが前記プリント基板を挿入するための開口部とされた矩形筒状のケースと、
前記ケースの開口部を蓋するハウジングと、該ハウジングに配設された複数の端子とを有し、前記端子のうち、前記ハウジングから延出された一方の端部が前記プリント基板のランドと接続され、他方の端部が前記ケースと前記ハウジングによる内部空間の外に露出されたコネクタと、を備える電子装置であって、
前記ケースの開口部近傍部位、及び、前記開口部位近傍と対向する前記ハウジングの部位には、前記ケースと前記ハウジングとを互いに固定するための少なくとも一対の固定部として、一方に固定用孔部が形成され、他方に前記固定用孔部に嵌合される固定用突起部が形成され、
前記固定部は、前記挿入方向において前記ケースの奥側ほど幅が狭くされたテーパ状となっており、
前記ケースにおける前記固定部が形成された壁部の少なくとも１つ、及び、該壁部と対向する前記ハウジングの部位には、前記ケースの開口近傍部位が前記ハウジングから離反するのを抑制するための少なくとも一対の係合部として、一方に係止用突起部が形成され、他方に前記係止用突起部が係止される被係止部が形成されていることを特徴とする電子装置。
【請求項６】
電子部品が実装されたプリント基板と、
側壁部の１つが前記プリント基板を挿入するための開口部とされた矩形筒状のケースと、
前記ケースの開口部を蓋するハウジングと、該ハウジングに配設された複数の端子とを有し、前記端子のうち、前記ハウジングから延出された一方の端部が前記プリント基板のランドと接続され、他方の端部が前記ケースと前記ハウジングによる内部空間の外に露出されたコネクタと、を備える電子装置であって、
前記ケースの開口部近傍部位、及び、前記開口部位近傍と対向する前記ハウジングの部位には、前記ケースと前記ハウジングとを互いに固定するための少なくとも一対の固定部として、一方に固定用孔部が形成され、他方に前記固定用孔部に嵌合される固定用突起部が形成され、
前記固定用孔部、及び、前記固定用突起部の少なくとも一方が、ばね部とされており、
前記ケースにおける前記固定部が形成された壁部の少なくとも１つ、及び、該壁部と対向する前記ハウジングの部位には、前記ケースの開口近傍部位が前記ハウジングから離反するのを抑制するための少なくとも一対の係合部として、一方に係止用突起部が形成され、他方に前記係止用突起部が係止される被係止部が形成されていることを特徴とする電子装置。
【請求項７】
電子部品が実装されたプリント基板と、
側壁部の１つが前記プリント基板を挿入するための開口部とされた矩形筒状のケースと、
前記ケースの開口部を蓋するハウジングと、該ハウジングに配設された複数の端子とを有し、前記端子のうち、前記ハウジングから延出された一方の端部が前記プリント基板のランドと接続され、他方の端部が前記ケースと前記ハウジングによる内部空間の外に露出されたコネクタと、を備える電子装置であって、
前記ケースの開口部近傍部位、及び、前記開口部位近傍と対向する前記ハウジングの部位には、前記ケースと前記ハウジングとを互いに固定するための少なくとも一対の固定部として、一方に固定用孔部が形成され、他方に前記固定用孔部に嵌合される固定用突起部が形成され、
前記ケースにおける前記固定部が形成された壁部の少なくとも１つ、及び、該壁部と対向する前記ハウジングの部位には、前記ケースの開口近傍部位が前記ハウジングから離反するのを抑制するための少なくとも一対の係合部として、一方に係止用突起部が形成され、他方に前記係止用突起部が係止される被係止部が形成されており、
前記ケースにおける前記固定部が形成された壁部内面の開口部近傍部位、及び、前記ケースの開口部近傍部位と対向する前記ハウジングの表面の少なくとも一方に、前記係合部を前記固定部との間で挟むように、前記係止用突起部の突起高さよりも高さの低い小突起部が形成されていることを特徴とする電子装置。
【請求項８】
前記小突起部は、前記挿入方向における前記ケースの奥側の端部が、前記係合部よりも、前記ケースの開口部と対向する側壁部に対して離れた位置とされていることを特徴とする請求項７に記載の電子装置。
【請求項９】
電子部品が実装されたプリント基板と、
側壁部の１つが前記プリント基板を挿入するための開口部とされた矩形筒状のケースと、
前記ケースの開口部を蓋するハウジングと、該ハウジングに配設された複数の端子とを有し、前記端子のうち、前記ハウジングから延出された一方の端部が前記プリント基板のランドと接続され、他方の端部が前記ケースと前記ハウジングによる内部空間の外に露出されたコネクタと、を備える電子装置であって、
前記ケースの開口部近傍部位、及び、前記開口部位近傍と対向する前記ハウジングの部位には、前記ケースと前記ハウジングとを互いに固定するための少なくとも一対の固定部として、一方に固定用孔部が形成され、他方に前記固定用孔部に嵌合される固定用突起部が形成され、
前記ケースにおける前記固定部が形成された壁部の少なくとも１つ、及び、該壁部と対向する前記ハウジングの部位には、前記ケースの開口近傍部位が前記ハウジングから離反するのを抑制するための少なくとも一対の係合部として、一方に係止用突起部が形成され、他方に前記係止用突起部が係止される被係止部が形成されており、
前記ハウジングには、前記固定部が嵌合された状態で、前記ケースにおける開口端の少なくとも一部が当接される当て止め用突起部が形成されていることを特徴とする電子装置。
【請求項１０】
前記ケースにおいて、前記壁部の１つに複数の前記固定部が形成されるとともに、互いに離間する２つの前記固定部の間に、前記係合部が形成されていることを特徴とする請求項１〜９いずれか１項に記載の電子装置。
【請求項１１】
電子部品が実装されたプリント基板と、
側壁部の１つが前記プリント基板を挿入するための開口部とされた矩形筒状のケースと、
前記ケースの開口部を蓋するハウジングと、該ハウジングに配設された複数の端子とを有し、前記端子のうち、前記ハウジングから延出された一方の端部が前記プリント基板のランドと接続され、他方の端部が前記ケースと前記ハウジングによる内部空間の外に露出されたコネクタと、を備える電子装置であって、
前記ケースの開口部近傍部位、及び、前記開口部位近傍と対向する前記ハウジングの部位には、前記ケースと前記ハウジングとを互いに固定するための少なくとも一対の固定部として、一方に固定用孔部が形成され、他方に前記固定用孔部に嵌合される固定用突起部が形成され、
前記ケースにおける前記固定部が形成された壁部の少なくとも１つ、及び、該壁部と対向する前記ハウジングの部位には、前記ケースの開口近傍部位が前記ハウジングから離反するのを抑制するための少なくとも一対の係合部として、一方に係止用突起部が形成され、他方に前記係止用突起部が係止される被係止部が形成されており、
前記ケースにおいて、前記壁部の１つに複数の前記係合部が形成されるとともに、互いに離間する２つの前記係合部の間に、前記固定部が形成されていることを特徴とする電子装置。
【請求項１２】
前記固定部は、前記ケースの壁部における略中央に形成され、
２つの前記係合部は、前記固定部に対して線対称に形成されていることを特徴とする請求項１１に記載の電子装置。
【請求項１３】
前記固定部、及び、前記係合部は、前記ケースにおいて、前記側壁部よりも面積の大きい上壁部及び下壁部にそれぞれ形成されていることを特徴とする請求項１〜１２いずれか１項に記載の電子装置。
【請求項１４】
前記ケースの内面には、前記固定部が嵌合された状態で、前記端子が前記ランドと接続される側の前記ハウジングの延出面であって前記ハウジングの長手方向の両端部がそれぞれ当接されるケース側当て止め部が形成されていることを特徴とする請求項１〜１３いずれか１項に記載の電子装置。
【発明の詳細な説明】
【技術分野】
【０００１】
本発明は、コネクタが実装されたプリント基板をケースに収容してなる電子装置に関するものである。
【背景技術】
【０００２】
従来、例えば特許文献１，２に示されるように、開口部の形成されたケースに対してプリント基板（ユニット本体）が収容され、プリント基板に実装されたコネクタのハウジングによってケースの開口部が蓋をされた電子装置（電子ユニット、車載電子制御装置）が知られている。
【０００３】
特許文献１に示される電子装置では、有底筒状のケースの一側壁に開口が形成されて略コの字状とされており、この一側壁に隣接する両側壁に形成された係止孔と、コネクタに形成された係止爪とが係合して、ユニット本体とケースとが互いに固定されるようになっている。また、両側壁が外側に開いて、係止孔と係止爪の係合状態が解除されるのを防ぐために、開口を有する一側壁に該側壁の板厚方向に突出する係止リブが形成され、係止リブに係合する係合部がコネクタに形成されている。
【０００４】
特許文献２に示される電子装置は、一側面がプリント基板を挿入するための開口部とされた矩形筒状のケースを有し、ケースの開口部付近に形成された第一係止部（孔部）とハウジングの開口部近傍に形成された第二係止部（突起部）とが嵌合された状態で、プリント基板に実装されたコネクタのハウジングによって開口部が蓋をされるようになっている。また、開口部の形状は、挿入前の状態で弧状に変形されており、開口部にハウジングを挿入することで開口部の変形が矯正されて、上述の嵌合を強化するようになっている。
【特許文献１】特開２００５−１６０２０７号公報
【特許文献２】特許第３７６９４６０号明細書
【発明の開示】
【発明が解決しようとする課題】
【０００５】
しかしながら、特許文献１に示される係止リブと係合部では、使用環境の温度変化等によって両側壁に長手方向の中央領域を凸とした反りが生じた場合、この反りを抑制するのは困難である。したがって、この反りにより、係止孔と係止爪の係合状態が解除される恐れがある。
【０００６】
また、特許文献２では、予め変形された開口部を矯正することで、第一係止部と第二係止部との嵌合を強化するようにしている。したがって、使用環境の温度変化等によって
開口部の形状が変形したり、ケースの壁面に反りが生じた場合には、第一係止部と第二係止部との嵌合が解除される恐れがある。
【０００７】
本発明は上記問題点に鑑み、ケースとコネクタとの固定状態の信頼性を向上することのできる電子装置を提供することを目的とする。
【課題を解決するための手段】
【０００８】
上記目的を達成する為に、請求項１，３−９，１１に記載の各電子装置は、電子部品が実装されたプリント基板と、側壁部の１つがプリント基板を挿入するための開口部とされた矩形筒状のケースと、ケースの開口部を蓋するハウジングと、該ハウジングに配設された複数の端子とを有し、端子のうち、ハウジングから延出された一方の端部がプリント基板のランドと接続され、他方の端部がケースとハウジングによる内部空間の外に露出されたコネクタと、を備えており、ケースの開口部近傍部位、及び、開口部位近傍と対向するハウジングの部位には、ケースとハウジングとを互いに固定するための少なくとも一対の固定部として、一方に固定用孔部が形成され、他方に固定用孔部に嵌合される固定用突起部が形成され、ケースにおける前記固定部が形成された壁部の少なくとも１つ、及び、該壁部と対向する前記ハウジングの部位には、ケースの開口近傍部位がハウジングから離反するのを抑制するための少なくとも一対の係合部として、一方に係止用突起部が形成され、他方に係止用突起部が係止される被係止部が形成されている。そして、請求項１に記載の発明では、係合部として、ケースにおける固定部が形成された壁部の少なくとも１つに、開口部側の端部から奥側へプリント基板の挿入方向に沿って被係止部としての切り欠き部が形成され、ケースにおける切り欠き部の形成部位と対向するハウジングの部位に、ケースの外面側において切り欠き部の縁部に係止する係止用突起部が形成されていることを特徴とする。
【０００９】
このように本発明によれば、ケースにおける固定部が形成された壁部に、固定部の嵌合方向においてケースの開口近傍部位がハウジングから離反するのを抑制する係合部が形成されている。したがって、固定部が形成されたケースの壁部に外側に凸の反りが生じたとしても、この反りを係合部によって抑制することができる。すなわち、ハウジングからケースの壁部が離反して固定部の嵌合状態が解除される（固定用孔部から固定用突起部が外れる）のを、係合部によって抑制することができるので、その結果、ケースとコネクタとの固定状態の信頼性を従来よりも向上することができる。
【００１０】
また、例えばコネクタと外部コネクタとを接続する際に生じる応力を、固定部、及び、係合部を介して、ハウジングからケースに効率よく逃がすことができる。すなわち、ランドと端子との接続信頼性を向上することができる。
【００１１】
この場合、例えば請求項２に記載のように、切り欠き部の縁部が挿入方向においてケースの奥側ほど肉厚とされ、係止用突起部が切り欠き部の縁部に対応して、ケースの奥側ほど肉厚が薄くされた構成としても良い。これによれば、ケースへのプリント基板の挿入時において、例えばケースの反りにより、ハウジングとケースとが若干離反していたとしても、係止用突起部が切り欠き部の縁部に係止される。すなわち、固定部の嵌合状態が解除されるのを効果的に抑制することができる。
【００１２】
次に、請求項３に記載の発明では、ケースにおける固定部が形成された壁部の少なくとも１つに、プリント基板の挿入方向に沿って係止用突起部が形成され、ケースにおける係止用突起部の形成部位と対向するハウジングの部位に、係止用突起部が係止される被係止部としての係止用溝部が形成されていることを特徴とする。このような構成としても、請求項１に記載の発明と同様の効果を期待することができる。
【００１３】
次に、請求項４に記載の発明では、ハウジングが、内部空間の外に端子が露出される側で複数のポートに分割され、互いに隣接するポート間を隔てる複数の隔壁部を有しており、固定部、及び、係合部は、ハウジングにおける隔壁部上に形成されていることを特徴とする。これによれば、ケースとコネクタとの嵌合時（固定部の嵌合時）の応力、ケースを介してコネクタに伝達される応力等によるハウジングの変形を低減することができる。したがって、例えばランドと端子との接続信頼性を向上することができる。また、このような構成としても、請求項１に記載の発明と同様の効果を期待することができる。
【００１４】
次に、請求項５に記載の発明では、固定部が、挿入方向においてケースの奥側ほど幅が狭くされたテーパ状となっていることを特徴とする。これによれば、ケースへのプリント基板の挿入時に、固定用孔部に対して固定用突起部が嵌りやすくなる。また、このような構成としても、請求項１に記載の発明と同様の効果を期待することができる。
【００１５】
次に、請求項６に記載の発明では、固定用孔部、及び、固定用突起部の少なくとも一方が、ばね部とされていることを特徴とする。これによれば、固定用孔部と固定用突起部とが嵌合されやすく、且つ、嵌合状態が解除されにくくすることができる。また、ケースを介してコネクタに伝達される応力を緩和することができる。また、このような構成としても、請求項１に記載の発明と同様の効果を期待することができる。
【００１６】
次に、請求項７に記載の発明では、ケースにおける固定部が形成された壁部内面の開口部近傍部位、及び、ケースの開口部近傍部位と対向する前記ハウジングの表面の少なくとも一方に、固定部との間で係合部を挟むように、係止用突起部の突起高さよりも高さの低い小突起部が形成されていることを特徴とする。
【００１７】
これによれば、小突起部によって、ハウジングに対してケースが持ち上げられるので、係止用突起部が被係止部に対してしっかりと係止されることとなる。したがって、ケースとコネクタとの間にがたつきがあっても、このがたつきを低減し、例えばコネクタと外部コネクタとを接続する際に生じる応力を、ハウジングからケースに効率よく逃がすことができる。すなわち、ランドと端子との接続信頼性をより向上することができる。また、小突起部は、係合部に対して固定部とは反対側に形成されているので、固定用孔部と固定用突起部との嵌合状態は確保される。また、このような構成としても、請求項１に記載の発明と同様の効果を期待することができる。
【００１８】
なお、小突起部がケースに接触した後に係合部が係合する構成とすると、小突起部によるケースの持ち上げによって係止用突起部が被係止部に係止されにくい。したがって、請求項７に記載の発明においては、請求項８に記載のように、小突起部は、挿入方向におけるケース奥側の端部が、係合部よりも、ケースの開口部と対向する側壁部に対して離れた位置とされた構成とすると良い。これによれば、係合部が係合した後に小突起部がケースに接触するため、係止用突起部を被係止部に対してしっかりと係止させることができる。
【００１９】
次に、請求項９に記載の発明では、ハウジングに、固定部が嵌合された状態でケースにおける開口端の少なくとも一部が当接される当て止め用突起部が形成されていることを特徴とする。これによれば、ケースとコネクタ（ハウジング）との接触面積が増えるので、例えばコネクタと外部コネクタとを接続する際に生じる応力を、ハウジングからケースに効率よく逃がすことができる。その結果、ランドと端子との接続信頼性を向上することができる。また、このような構成としても、請求項１に記載の発明と同様の効果を期待することができる。
【００２０】
請求項１〜９いずれかに記載の発明においては、請求項１０に記載のように、ケースにおいて、開口部とされた側壁部に隣接する壁部（２つの側壁部、上壁部、及び下壁部）の１つに複数の固定部が形成され、互いに離間する２つの固定部の間に係合部が形成された構成としても良い。これによれば、固定部が１つの壁部に対して複数あるので、プリント基板の挿入方向における応力（特に左右の抉り）に対して、ケースとコネクタとの固定状態の信頼性を向上することができる。
【００２１】
次に、請求項１１に記載の発明では、ケースにおいて、開口部とされた側壁部に隣接する壁部（２つの側壁部、上壁部、及び下壁部）の１つに複数の係合部が形成され、互いに離間する２つの係合部の間に固定部が形成されていることを特徴とする。これによれば、固定部の両サイドに位置する係合部によって、ハウジングからケースの壁部が離反して固定部の嵌合状態が解除されるのを、より効果的に抑制することができる。また、このような構成としても、請求項１に記載の発明と同様の効果を期待することができる。
【００２２】
請求項１１に記載の発明においては、請求項１２に記載のように、固定部がケースの壁部における略中央に形成され、２つの係合部が固定部に対して線対称に形成された構成とすると良い。これによれば、ケースとコネクタのハウジングとの固定時において、係合状態で生じる応力を２つの係合部でほぼ均一とし、一方の係合部への応力の偏りを抑制することができる。
【００２３】
請求項１〜１２いずれかに記載の発明においては、請求項１３に記載のように、固定部、及び、係合部が、ケースにおいて、側壁部よりも面積の大きい上壁部及び下壁部のそれぞれに形成された構成とすると良い。これによれば、側壁部よりも面積が大きく、反りなどの変形が生じ易い上壁部及び下壁部において、反りなどの変形を抑制することができる。また、互いに対向する上壁部と下壁部に固定部と係合部が形成されているので、上述の効果と相俟って、ケースとコネクタとの固定状態の信頼性をより向上することができる。さらには、固定部及び係合部が上壁部と下壁部にそれぞれ形成されているので、プリント基板の挿入方向における応力（特に上下の抉り）に対して、ケースとコネクタとの固定状態の信頼性を向上することができる。
【００２５】
請求項１〜１３いずれかに記載の発明においては、請求項１４に記載のように、ケースの内面に、固定部が嵌合された状態で、端子がランドと接続される側のハウジングの延出面であってハウジングの長手方向の両端部がそれぞれ当接されるケース側当て止め部が形成された構成としても良い。これによれば、ハウジングの両端部がケースの内面に形成されたケース側当て止め部にそれぞれ接触されるので、例えばコネクタと外部コネクタとを接続する際に生じる応力を、ハウジングの両端部からケースに効率よく逃がすことができる。また、ハウジングの長手方向における抉り（左右の抉り）を抑制することができる。
【発明を実施するための最良の形態】
【００２６】
以下、本発明の実施の形態を図に基づいて説明する。
（第１実施形態）
図１は、第１実施形態に係る電子制御装置の概略構成を示す斜視図である。図２は、図１のＩＩ−ＩＩ線に沿う断面図である。図３は、図１のＩＩＩ−ＩＩＩ線に沿う断面図である。図４は、固定部周辺を示す斜視図であり、便宜上、ケースの上壁部を一部断面としている。図５は、係合部周辺の斜視図である。図６は、図５のＶＩ−ＶＩ線に沿う断面図である。図７は、ハウジングの端部周辺の平面図であり、便宜上、ケースの上壁部を省略して図示している。図８は、ケースの上壁部側から見たコネクタの平面図である。図９は、外部コネクタとの嵌合側から見たコネクタの平面図である。図１０は、プリント基板との接続側から見たコネクタの平面図である。図１１は、図１０のＸＩ−ＸＩ線に沿う断面図であり、外部コネクタとの嵌合時に生じる応力の伝達の様子を模式的に示している。図１２は、図１１に対する比較例を示す断面図であり、係合部を有さない構造における外部コネクタとの嵌合時に生じる応力の伝達の様子を模式的に示している。図１３も、図１１に対する比較例を示す断面図であり、係合部を有さない構造において、固定部の嵌合状態が解除された状態を模式的に示している。
【００２７】
本実施形態に係る電子制御装置は非防水構造となっており、車載用の電子制御装置（例えば車両のエンジンＥＣＵ（Electric Control Unit））として構成されている。
【００２８】
図１〜図３に示す電子制御装置１００は、特許請求の範囲に記載の電子装置に相当するものであり、要部として、プリント基板１０と、一側壁部が開口部とされ、プリント基板１０が収容されるケース３０と、プリント基板１０に実装され、ケース３０の開口部を蓋するコネクタ５０と、を有している。
【００２９】
図２及び図３に示すプリント基板１０には、電極としてのランドを含む配線、配線間を接続するビアホール等（図示略）が形成されるとともに、マイコン、パワートランジスタ、抵抗、コンデンサ等の電子部品（図示略）が実装されている。本実施形態においては、電子部品の１つとして、プリント基板１０と外部とを電気的に接続するコネクタ５０が、平面略矩形状のプリント基板１０に実装されている。より詳しくは、コネクタ５０の端子５２が、プリント基板１０の表面に形成された対応するランドとはんだを介して接合（表面実装）されている。なお、プリント基板１０の構成材料としては、熱可塑性樹脂、熱硬化性樹脂、セラミック、ガラス（例えばガラス布）と樹脂との複合体等の公知材料を適用することができる。また、その層数は特に限定されるものではない。
【００３０】
ケース３０は、プリント基板１０を収容するものであり、例えばアルミダイカスト、プレス加工、樹脂成形などによって矩形筒状に形成されている。詳しくは、側壁部３１、側壁部３１よりも面積の大きい上壁部３２、及び上壁部３２と対向する下壁部３３の各壁部のうち、図２及び図３に示すように、側壁部３１の１つがプリント基板１０をケース３０の内部に挿入するための開口部３４とされている。なお、図２及び図３に示す符号３１ａは、側壁部３１のうち、開口部とされた側壁部と対向する底部である。また、図４に示すように、ケース３０の開口端３５は、ケース３０内にプリント基板１０を挿入しやすいようにテーパ状となっている。
【００３１】
また、ケース３０における開口部３４の近傍部位には、ケース３０とコネクタ５０のハウジング５１とを互いに固定するための少なくとも一対の固定部の一方が形成されている。すなわち、開口部３４とされた側壁部３１に隣接する各壁部（２つの側壁部３１、上壁部３２、及び下壁部３３）のうちの少なくとも１つに、少なくとも一対の固定部の一方が形成されている。この固定部は、固定部の嵌合方向に略垂直な方向において、ケース３０とハウジング５１とを固定する機能を果たすものである。本実施形態においては、図１、図２、図４などに示すように、上壁部３２及び下壁部３３のハウジング５１の長手方向における略中央に、固定用孔部３６として平面略矩形状の貫通孔がそれぞれ１つずつ形成されている。また、固定用孔部３６の周辺にケース３０を貫通する略Ｕ字状のばね用凹部３７が形成され、これにより、固定用孔部３６（の周辺部）がばね機能を有するようになっている。なお、本実施形態においては、固定用孔部３６として貫通孔の例を示したが、ケース３０の外面側に露出されない非貫通孔を採用することもできる。
【００３２】
また、ケース３０における固定部が形成された壁部の少なくとも１つには、固定部の嵌合方向においてケース３０の開口部近傍部位がハウジング５１から離反するのを抑制、すなわち、固定部の嵌合状態が解除されるのを抑制するために、少なくとも一対の係合部が形成されている。本実施形態においては、固定用孔部３６が形成された上壁部３２及び下壁部３３に、係合部を構成する被係止部としての切り欠き部３８がそれぞれ形成されている。この切り欠き部３８は、図１及び図５に示すように、上壁部３２及び下壁部３３における開口端３４からケース３０の奥側（底部３１ａ側）に、プリント基板１０の挿入方向に沿ってケース３０の一部が平面略矩形状に除去された部位である。そして、図１に示すように、固定用孔部３６を中心として線対称となるように、上壁部３２及び下壁部３３にそれぞれ２つずつ形成されている。ケース３０における切り欠き部３８の縁部３９は、図６に示すように、ケース３０の内面側から所定の範囲が、切り欠き部３８の幅一定の基部３９ａとなっており、基部３９ａとの境界からケース３０の外面側の所定範囲が、外面側ほど切り欠き部３８の幅が広いテーパ部３９ｂとなっている。そして、ケース３０におけるテーパ部３９ｂが、特許請求の範囲に記載の外面側における切り欠き部の縁部となっている。
【００３３】
また、ケース３０の内面には、固定部が嵌合された状態で、例えば図７に示すように、ハウジング５１におけるランド側の端子５２の延出面５６であってハウジング５１の長手方向の両端部５６ａがそれぞれ当接されるケース側当て止め部４０が形成されている。本実施形態においては、ケース側当て止め部４０として段部が形成されている。なお、ケース側当て止め部４０としては、ストッパとしての機能を果たすものであれば採用することができる。例えば上記段部以外にも、内面側に突出する部分的な突起を採用することもできる。
【００３４】
また、ケース３０における底部３１ａの内面には、図２に示すように、プリント基板１０の挿入側先端部を保持すべく溝状の保持部４１が形成されている。また、ケース３０における開口部に隣接する側壁部３１（底部３１ａを除く側壁部３１）の内面には、図３に示すように、プリント基板１０をケース３０の奥側まで誘導すべく溝状のガイド部４２が形成されている。
【００３５】
本実施形態において、保持部４１は溝幅が一定となっており、ハウジング５１の長手方向において底部３１ａの一方の端部から他方の端部まで形成されて、その両端部がガイド部４２と連結されている。また、ガイド部４２は、図３に示すように、ケース３０の奥側ほどプリント基板１０の厚さ方向における溝幅が狭くなっており、保持部４１との連結部位における溝幅（及び保持部４１の溝幅）が、プリント基板１０の厚さと同程度か若干広い程度となっている。すなわち、プリント基板１０において、挿入側先端部（挿入先端側の辺）とは反対側の端部付近（コネクタ５０の端子５２の実装部位周辺）では、ガイド部４２の幅がプリント基板１０の厚さに対して広く、プリント基板１０がフリーとなっている。このような構成とすると、外部コネクタとコネクタ５０との嵌合時に生じる応力を、コネクタ５０における端子５２とプリント基板１０のランドとの接続部で局所的に集中させることなく、プリント基板１０の挿入先端部からケース３０に逃がすことができる。すなわち、端子５２とランドとの接続信頼性を向上することができる。
【００３６】
コネクタ５０は、絶縁材料からなるハウジング５１に対して、導電材料からなる複数の端子５２が配設されたものであり、平面略矩形状のプリント基板１０におけるケース３０への挿入先端側の端部とは反対側の端部近傍に実装されている。
【００３７】
ハウジング５１は、ケース３０の開口部３４を閉塞するように構成されている。本実施形態においては、ハウジング５１のうち、図１、図２、及び図１０などに示すように、ケース３０内に収容される部位の外形が、略矩形状の開口部３４（開口端３５）に対応して略矩形状となっている。また、図１、図９、及び図１０などに示すように、ケース３０の開口端３５に当接され、ケース３０の外に露出される部位の外形も、略矩形状の開口部３４に対応して略矩形状となっている。なお、ケース３０の開口端３５に当接される部位は、固定部が嵌合された状態で、ケース３０の開口端３５が当接されるように、ケース３０内に収容される部位に対して突条とされた当て止め用突起部５３である。本実施形態においては、この当て止め用突起部５３が、ケース３０の開口端全てと接するように環状に形成されている。
【００３８】
ハウジング５１の外面であって当て止め用突起部５３よりもプリント基板１０の挿入先端側には、ケース３０に形成された固定部の一方と対をなし、互いに嵌合される固定部の他方が形成されている。本実施形態においては、ケース３０における上壁部３２及び下壁部３３にそれぞれ形成された固定用孔部３６に対応して、図１、図２、図４、図７、図８、及び図１０に示すように、固定用孔部３６に嵌合される略矩形状の固定用突起部５４が形成されている。この固定用突起部５４は、図４に示すように、ケース３０に対するプリント基板１０の挿入先端側の端部から所定の範囲に、挿入先端側ほど肉厚の薄いテーパ部５４ａを有している。このような構成とすると、ケース３０へのプリント基板１０の挿入とともに、固定用突起部５４を固定用孔部３６に嵌合させやすくなる。
【００３９】
また、ハウジング５１の外面であって当て止め用突起部５３よりもプリント基板１０の挿入先端側には、ケース３０に形成された係合部の一方と対をなし、互いに係合される係合部の他方が形成されている。本実施形態においては、ケース３０における上壁部３２及び下壁部３３にそれぞれ形成された切り欠き部３８に対応して、図１、図５、図６〜図８、及び図１０に示すように、ケース３０の外面側において切り欠き部３８の縁部３９（テーパ部３９ｂ）に係止される係止される断面略Ｔ字状の係止用突起部５５が形成されている。この係止用突起部５５は、図１及び図５に示すように、ハウジング５１に形成された当て止め用突起部５３に連結され、プリント基板１０の挿入方向に沿って延設されている。また、係止用突起部５５は、図６に示すように、ケース３０内に収容される部位の平坦面５１ａから、切り欠き部３８の縁部３９における基部３９ａとテーパ部３９ｂとの境界部分までの範囲が、基部３９ａにおける切り欠き部３８の溝幅よりも若干狭い基部５５ａとなっており、基部５５ａとの境界よりも平坦面５１ａに対して上部側の部位が、上部ほど幅が広いテーパ部５５ｂとなっている。そして、テーパ部５５ｂは、切り欠き部３８の縁部３９（テーパ部３９ｂ）に係止されるようになっている。また、係止用突起部５５は、その頭頂部が、ケース３０に反りなどの変形が生じていない状態で、ケース３０の外面（図６においては上壁部３２の外面３２ａ）と略面一となるようになっている。また、本実施形態においては、図１及び図５に示すように、係止用突起部５５におけるプリント基板１０の挿入先端側の端部が平坦面５５ｃとなっており、この平坦面５５ｃが、固定部の嵌合状態（当て止め用突起部５３にケース３０の開口端が当接された状態）で対向する切り欠き部３８の縁部３９と当接するようになっている。
【００４０】
なお、本実施形態において、ハウジング５１の平坦面５１ａからの突起高さは、係止用突起部５５よりも固定用突起部５４のほうが低くなっている。このような構成とすると、係合部が係合した状態で、固定用突起部５４が固定用孔部３６に嵌合しやすくなる。
【００４１】
端子５２は、図７、図８などに示すように、ハウジング５１におけるランド側の延出面５６から延出された端部が、プリント基板１０のランドとはんだを介して接続されるものである。本実施形態においては、図７〜図１１などに示すように、複数の端子５２として、ハウジング５１の延出面５６から延出された端部がプリント基板１０のランドとはんだを介して電気的且つ機械的に接続され、延出面５６の裏面から延出された他方の端部がケース３０外に露出されて外部コネクタと電気的に接続される第１端子５２ａ及び第２端子５２ｂ（プリント基板１０とコネクタ５０（外部コネクタ）との間で電気的な接続機能を果たすものであり、特許請求の範囲に記載の端子に相当）と、コネクタ５０とプリント基板１０との間において電気的な接続機能を提供せず、プリント基板１０に対するコネクタ５０の接続信頼性を向上するための少数（少なくとも１本、本実施形態においては３本）の第３端子５２ｃを有している。
【００４２】
端子５２は、コネクタ５０のハウジング５１に対し、ハウジング５１の長手方向に沿って互いに位置ずれしつつ配設されるとともに、プリント基板１０の平面に垂直な方向（プリント基板１０の厚さ方向）にも多段に配設されている。端子５２のうち、第１端子５２ａは信号伝送用のシグナル端子であり、第１端子５２ａよりも径の太い第２端子５２ｂは電力伝送用の（パワー素子に電気的に接続され、大電流を伝達する）パワー端子である。第１端子５２ａは、プリント基板１０の平面に垂直な方向に４段配列されており、第２端子５２ｂは、プリント基板１０の平面に垂直な方向に２段配列されている。そして、コネクタ５０には、ハウジング５１の長手方向において、複数の第１端子５２ａのみが集められた２つの第１端子ブロック５７と、複数の第１端子５２ａと複数の第２端子５２ｂが集められた２つの第２端子ブロック５８とが構成されている。より具体的には、ハウジング５１の長手方向において、両端部に第２端子ブロック５８が形成され、第２端子ブロック５８に挟まれて２つの第１端子ブロック５７が形成されている。また、各ブロック５７，５８の間には隔壁部５９が形成されており、これにより隣接するブロック間が隔てられ、外部コネクタとの接続側において、エンジン関係の各系統と電気的に接続される４つの外部接続ポートとなっている。
【００４３】
また、本実施形態においては、図１に示すように、隔壁部５９の延長上におけるハウジング５１の外面に、固定部としての固定用突起部５４と、係合部としての係止用突起部５５がそれぞれ形成されている。より詳しくは、３つの隔壁部５９のうち、ハウジング５１の長手方向における両端の隔壁部５９の延長上に係止用突起部５５がそれぞれ形成され、両端の隔壁部５９に挟まれた中央の隔壁部５９の延長上に固定用突起部５４が形成されている。
【００４４】
なお、第３端子５２ｃは補強端子であり、ハウジング５１の延出面５６のみから延出されて、プリント基板１０のランドと機械的に接続されている。この第３端子５２ｃは、ハウジング５１の長手方向において、第２端子ブロック５８よりも端部側にそれぞれ配置されるとともに、第１端子ブロック５７の間にも配置されている。本実施形態においては、これら全ての端子５２（５２ａ〜５２ｃ）が、プリント基板１０の表面に形成されたランド（図示略）と電気的且つ機械的に接続される表面実装構造の端子となっている。このような構造は公知であるの、本実施形態における詳細な説明は割愛する。
【００４５】
次に、電子制御装置１００の組み付けについて説明する。先ず、プリント基板１０に対してコネクタ５０を実装する。本実施形態においては、端子５２として表面実装構造の端子を採用しているため、リフローによって、端子５２と対応するプリント基板１０のランドとをはんだ接合する。なお、コネクタ５０の実装とともに、図示されない他の電子部品もプリント基板１０に実装する。
【００４６】
この実装工程後、プリント基板１０を、コネクタ５０が実装された側の端部と反対側の端部を挿入先端側として、ケース３０内に挿入する。このとき、プリント基板１０は、ケース３０の側壁部３１に形成されたガイド部４２によって誘導されながら、ケース奥側の底部３１ａ側まで挿入される。この挿入において、プリント基板１０の挿入側先端が保持部４１の近傍まで挿入されるか、挿入余代を残して挿入側先端の一部が保持部４１に保持される位置まで挿入されると、係止用突起部５５が対応する切り欠き部３８の縁部３９に係止することとなる。そして、係止用突起部５５が対応する切り欠き部３８の縁部３９に係止（係合部が係合）した状態でプリント基板１０をさらにケース奥側へ挿入すると、固定用孔部３６に固定用突起部５４が嵌合（固定部が嵌合）する。また、固定部が嵌合するとともに、ケース３０の開口端３５が、ハウジング５１の当て止め用突起部５３に当て止まる。また、ハウジング５１の延出面５６の端部５６ａが、ケース３０の内面に形成されたケース側当て止め部４０に当て止まる。以上により、矩形筒状のケース３０内にプリント基板１０が収容され、ケース３０の開口部がプリント基板１０に実装されたコネクタ５０のハウジング５１によって閉塞された電子制御装置１００となる。
【００４７】
このように構成される電子制御装置１００は以下に示す特徴を有している。先ず、本実施形態においては、固定部を構成する固定用孔部３６が形成されたケース３０の上壁部３２及び下壁部３３に、係合部を構成する切り欠き部３８が形成されている。そして、切り欠き部３８に対応して、ハウジング５１には、ケース３０の外面側において切り欠き部３８の縁部３９に係止する係止用突起部５５が形成されている。したがって、例えば図１に破線３２ｂで示すように、使用環境の温度変化などにより、ケース３０における固定部が形成された壁部（図１においては、上壁部３２）の開口部側に凸の反りが生じようとしても、係合部（切り欠き部３８（縁部３９）及び係止用突起部５５）の係合によって、固定部の嵌合方向におけるハウジング５１からケース３０の離反（ケース３０の反り）を抑制することができる。すなわち、固定部の嵌合状態が解除されるのを抑制する（ケース３０とコネクタ５０との固定状態の信頼性を向上する）ことができる。
【００４８】
したがって、本実施形態においては、ケース３０の反りが抑制されており、コネクタ５０に作用する応力をケース３０の開口部近傍にてケース３０側に逃がすことができる。例えば図１１に示すように、コネクタ５０の外部コネクタ１１０を嵌合する際に（又は、外部コネクタ１１０を嵌合した状態で）、上方１１１に外部コネクタ（ワイヤを含む）が持ち上げられたとしても、実線矢印で示すように、外部コネクタ１１０を介してコネクタ５０に作用する応力１１２を、ケース３０の開口部近傍（固定部、係合部、ケース３０とハウジング５１の当接部）でケース３０（下壁部３３）に逃がすことができる。また、下方１１３に外部コネクタ（ワイヤを含む）が押し下げられたとしても、破線矢印で示すように、外部コネクタ１１０を介してコネクタ５０に作用する応力１１４をケース３０の開口部近傍（固定部、係合部、ケース３０とハウジング５１の当接部）でケース３０（上壁部３２）に逃がすことができる。すなわち、本実施形態によれば、端子５２とランドとの接合部に作用する応力を低減することができる。
【００４９】
これに対し、固定部のみを有し、係合部を有さない構成においては、使用環境の温度変化などにより、ケース３０に反りが生じる恐れがある。例えば図１２に示すように、ケース３０に反りが生じて開口端３５の間口が広くなると、ケース３０における開口部近傍部位とハウジング５１との間にがたつきが生じることとなる。この場合、例えばコネクタ５０の外部コネクタ１１０を嵌合する際に（又は、外部コネクタ１１０を嵌合した状態で）、上方１１１に外部コネクタ（ワイヤを含む）が持ち上げられると、ハウジング５１とケース３０の下壁部３３とが離間しているので、実線矢印で示すように、外部コネクタ１１０を介してコネクタ５０に作用する応力１１２が、主として、端子５２とランドとの接合部、及び、プリント基板１０を介して、保持部４１からケース３０（底部３１ａ）に逃げることとなる。したがって、本実施形態に示す構成よりも、端子５２とランドとの接合部に作用する応力が大きいため、端子５２とランドとの接続信頼性が低下する恐れがある。また、ケース３０の反りによって、固定部の嵌合状態が解除された場合には、例えば図１３に示すように、コネクタ５０がプリント基板１０の挿入方向とは反対方向（実線矢印１１５の方向）に引っ張られ、ケース３０からプリント基板１０が脱落する恐れもある。また、固定部の嵌合状態が解除されているので、下方１１３に外部コネクタ（ワイヤを含む）が押し下げられると、破線矢印で示すように、ケース３０内でプリント基板１０が振動する恐れがある。
【００５０】
なお、本実施形態においては、反りが生じ易い上壁部３２と下壁部３３に固定部を構成する固定用孔部３６と、係合部を構成する切り欠き部３８が形成されている。したがって、ケース３０による反りを係合部によって効果的に抑制することができる。また、互いに対向する上壁部３２と下壁部３３に固定部と係合部が形成されているので、より効果的にケース３０の反りを抑制するとともに、ケース３０とコネクタ５０との固定状態の信頼性を向上することができる。そして、図１１で示したように、ケース３０に対するコネクタ５０の上下の抉りを効果的に抑制することができる。
【００５１】
また、本実施形態においては、２つの係合部の間に固定部が形成されているので、両サイドに位置する係合部によって、固定部の嵌合状態が解除されるのを、より効果的に抑制することができる。特に本実施形態においては、固定部（固定用孔部３６）がケース３０の壁部（上壁部３２、下壁部３３）の略中央に形成され、２つの係合部（切り欠き部３８）が固定部に対して線対称となっている。したがって、ケース３０とハウジング５１との固定時において、係合状態で生じる応力を２つの係合部でほぼ均一とし、一方の係合部への応力の偏りを抑制することができる。
【００５２】
また、本実施形態においては、係合部を構成する切り欠き部３８が、ケース３０の開口端３５から奥側へプリント基板１０の挿入方向に沿って形成されている。したがって、ケース３０内へのプリント基板１０の挿入とともに、ケース３０の開口端３５から係止用突起部５５を切り欠き部３８の縁部３９に係止させることができる。したがって、組み付け性に優れている。
【００５３】
また、本実施形態においては、ハウジング５１において、互いに隣接する外部接続ポート間に隔壁部５９が形成されている。そして、この隔壁部５９の延長上に、固定部を構成する固定用突起部５４や係合部を構成する係止用突起部５５が形成されている。このように、ハウジング５１における剛体部分に固定部や係合部を形成すると、固定部や係合部に作用する応力によって、ハウジング５１が変形するのを抑制することができる。
【００５４】
また、本実施形態においては、ケース３０における固定用孔部３６の周辺にばね用凹部３７が形成され、これにより、固定用孔部３６（の周辺部）がばね機能を有するようになっている。このような構成とすると、固定用孔部３６と固定用突起部５４とを嵌合しやすくすることができるとともに、嵌合状態が解除されにくくすることができる。また、固定部に作用する応力を緩和することができる。
【００５５】
また、本実施形態においては、ハウジング５１に、固定部が嵌合された状態で、ケース３０の開口端３５が当接される当て止め用突起部５３が形成されている。したがって、ケース３０の開口端３５と当て止め用突起部５３との接触面積の分、固定部の嵌合状態で、ケース３０とコネクタ５０（ハウジング５１）との接触面積が増えるので、例えばコネクタ５０と外部コネクタとの接続時に生じる応力を、ケース３０における開口端近傍でハウジング５１からケース３０に効率よく逃がすことができる。すなわち、端子５２とランドとの接続信頼性をより向上することができる。また、当て止め用突起部５３は、係止用突起部５５と連なって形成されているので、これにより、係止用突起部５５の剛性を高めて、ケース３０とコネクタ５０との固定状態の信頼性をより向上することができる。
【００５６】
また、本実施形態においては、ケース３０の内面に、固定部が嵌合された状態で、ハウジング５１の延出面５６の端部５６ａが当接されるケース側当て止め部４０が形成されている。したがって、ハウジング５１とケース側当て止め部４０との接触面積の分、固定部の嵌合状態で、ケース３０とコネクタ５０（ハウジング５１）との接触面積が増えるので、例えばコネクタ５０と外部コネクタとの接続時に生じる応力を、ハウジング５１の両端部５６ａからケース３０に効率よく逃がすことができる。すなわち、端子５２とランドとの接続信頼性をより向上することができる。また、ハウジング５１の長手方向における左右の抉りを抑制することができる。
【００５７】
さらに、本実施形態においては、係止用突起部５５におけるプリント基板１０の挿入先端側の端部（平坦面５５ｃ）が、固定部の嵌合状態で、対向する切り欠き部３８の縁部３９と当される。したがって、これによっても、端子５２とランドとの接続信頼性をより向上することができる。
【００５８】
なお、本実施形態においては、固定部を構成する固定用孔部３６が、ケース３０における上壁部３２と下壁部３３のみに形成される例を示した。しかしながら、固定用孔部３６が形成される壁部は上記例に限定されるものではない。例えば、図１４に示すように、開口部に隣接する側壁部３１にも、固定用孔部３６が形成された構成としても良い。図１４においては、固定用孔部３６だけでなく、ばね用凹部３７も形成されている。なお、側壁部３１が、上壁部３２及び下壁部３３と比べて面積が小さく、反りが生じにくいので、図１４に示す例では、側壁部３１に係合部（切り欠き部３８）が形成されていないが、側壁部３１に固定部とともに係合部の形成された構成としても良い。図１４は、変形例を示す斜視図である。
【００５９】
また、本実施形態においては、固定部を構成する固定用孔部３６及び固定用突起部５４が、ともに平面略矩形状である例を示した。しかしながら、その形状は上記例に限定されるものではない。互いに嵌合可能な形状であれば採用することができる。例えば図１５に示す例では、固定部（固定用孔部３６及び固定用突起部５４）を、プリント基板１０の挿入方向においてケース３０の奥側ほど幅が狭くされた（テーパ状とされた）平面略台形状となっている。このような構成とすると、プリント基板１０の挿入時において、固定用孔部３６における幅の広い部位に対して固定用突起部５４における幅の狭い部位が先に到達するので、ハウジング５１の長手方向において固定用孔部３６と固定用突起部５４がずれていたとしても、嵌合していくに従いずれが矯正され、固定用孔部３６に対して固定用突起部５４を嵌合させることができる。図１５は、変形例を示す平面図である。
【００６０】
また、ばね用凹部３７の形態も上記した略Ｕ字状に限定されるものではない。例えば図１５に示すように、固定用孔部３６を挟むように、ケース３０の開口端３５からケース３０の奥側に向けて直線状に形成された２つの切り欠きをばね用凹部３７として採用することもできる。
【００６１】
また、本実施形態においては、固定部として、ケース３０に固定用孔部３６が形成され、ハウジング５１に固定用突起部５４が形成される例を示した。しかしながら、例えば図１６に示すように、ケース３０（図１６では上壁部３２）に、その内面３２ｃからハウジング５１に向けて突出する固定用突起部４３が形成され、ハウジング５１に、固定用突起部４３が嵌合される固定用孔部６０が形成された構成としても良い。この場合、固定用孔部６０としては、非貫通孔を採用することができる。図１６は変形例を示す斜視断面図である。
【００６２】
また、本実施形態においては、係合部を構成する被係止部としてケース３０に切り欠き部３８が形成され、ハウジング５１に係止用突起部５５が形成される例を示した。しかしながら、例えば図１７に示すように、ケース３０（図１７では上壁部３２）に、その内面３２ｃからハウジング５１に向けて突出する係止用突起部４４が形成され、ハウジング５１に被係止部として係止用溝部６１が形成され、係止用溝部６１の縁部６２に係止用突起部４４が係止される構成としても良い。図１７は変形例を示す断面図である。なお、図１７に示す例では、係止用突起部４４が、上壁部３２の内面３２ｃから突出した所定幅の基部４４ａと、基部４４ａよりも下方において、下方ほど幅が広くされたテーパ部４４ｂを有している。また、係止用溝部６１の縁部６２は、ハウジング５１の表面５１ａ（平坦面５１ａ）から所定深さまでが、基部４４ａに対応して溝幅が一定の基部６２ａとなっており、基部６２ａよりも深い領域では、下方ほど溝幅が広くされたテーパ部６２ｂとなっている。そして、ケース３０におけるテーパ部４４ｂがハウジング５１におけるテーパ部６２ｂに係止するようになっている。
【００６３】
（第２実施形態）
次に、本発明の第２実施形態を、図１８及び図１９に基づいて説明する。図１８は、第２実施形態に係る電子制御装置の概略構成を示す斜視図である。図１９は、係合部を示す図であり、（ａ）は断面図、（ｂ）は（ａ）のＸＩＸＢ−ＸＩＸＢ線に沿う断面図である。
【００６４】
第２実施形態における電子制御装置は、第１実施形態によるものと共通するところが多いので、以下、共通部分については詳しい説明は省略し、異なる部分を重点的に説明する。また、本実施形態においては、第１実施形態と同一の要素について、同一の符号を付与するものとする。
【００６５】
第１実施形態においては、２つの係合部によって、１つの固定部が挟まれた構成の例を示した。これに対し、本実施形態においては、例えば図１８に示すように、ケース３０における上壁部３２及び下壁部３３（図１８では、上壁部３２のみを図示）の略中央に係合部を構成する切り欠き部３８が形成されている。そして、切り欠き部３８を挟むように、より詳しくは切り欠き部３８を挟んで線対称となるように、固定部を構成する固定用孔部３６が形成されている。なお、図１８に示す例では、固定用孔部３６の周辺にばね用凹部３７も形成されている。また、ケース３０に形成された固定用孔部３６と切り欠き部３８に対応して、固定用突起部５４と係止用突起部５５がコネクタ５０のハウジング５１に形成されている。さらには、固定部と係合部は、隔壁部５９の延長上に形成されている。
【００６６】
このように構成される電子制御装置１００は以下に示す特徴を有している。本実施形態に示したように、係合部を挟んで固定部が形成された構成とすると、固定部が１つの壁部に対して複数あるので、プリント基板１０の挿入方向における応力（特にハウジング５１の長手方向における左右の抉り）に対して、ケース３０とコネクタ５０との固定状態の信頼性を向上することができる。
【００６７】
また、本実施形態においては、図１９（ａ），（ｂ）に示すように、係合部を構成する切り欠き部３８が、ケース３０の開口端３５からケース３０の奥側ほど切り欠き幅が狭い平面略台形状となっており、切り欠き部３８に対応して、係止用突起部５５も平面略台形状となっている。このような構成とすると、平面矩形状に比べて、ハウジング５１の長手方向における位置精度を向上することができる。また、切り欠き部３８の縁部３９と係止用突起部５５とのクリアランスが、固定部における固定用孔部３６と固定用突起部５４のクリアランスよりも狭くなっている。これらにより、本実施形態においては、ケース３０の壁部における略中央での位置精度が高められるので、ハウジング５１の端部とケース３０にて生じる抉りを抑制することができる。なお、このようなテーパ状の係合部については、第１実施形態に示した構成においても適用することができる。
【００６８】
また、本実施形態においても、第１実施形態に示した種々の変形態様を適用することができる。
【００６９】
（第３実施形態）
次に、本発明の第２実施形態を、図２０〜図２３に基づいて説明する。図２０は、第３実施形態に係る電子制御装置の概略構成を示す平面図である。図２０においては、便宜上、ケース３０を断面で示しており、プリント基板１０を省略している。図２１は、小突起部による効果を示す図であり、図２０に対応している。図２２は、係合部を示す斜視図である。図２２においては、係合部が係合する過程を示している。図２３は、図２２のＸＸＩＩＩ−ＸＸＩＩＩ線に沿う断面図である。
【００７０】
第３実施形態における電子制御装置は、上述した実施形態によるものと共通するところが多いので、以下、共通部分については詳しい説明は省略し、異なる部分を重点的に説明する。また、本実施形態においては、上述した実施形態と同一の要素について、同一の符号を付与するものとする。
【００７１】
本実施形態においては、図２０に示すように、ケース３０の開口部近傍部位と対向するハウジング５１の表面に、固定部（固定用突起部５４）との間で係合部（係止用突起部５５）を挟むように、係止用突起部５５の突起高さよりも高さの低い小突起部６３が形成されている点を特徴とする。それ以外の点は、第１実施形態に示した構成と同じである。
【００７２】
このように構成される電子制御装置１００は以下に示す特徴を有している。本実施形態に示す構成によれば、小突起部６３の形成部位において、ケース３０がハウジング５１に対して持ち上げられた状態となる。したがって、ケース３０の持ち上がりにより、ケース３０の外面側において切り欠き部３８の縁部３９に、係止用突起部５５がよりしっかりと係止されることとなる。これにより、図２１に示すように、例えばケース３０に反りにより、ケース３０の開口部近傍が広がって、ケース３０の内面とハウジング５１の表面との間に隙間が生じたとしても、小突起部６３によって、この隙間によるケース３０とコネクタ５０とのがたつきを低減することができる。また、例えばコネクタ５０と外部コネクタとの接続時に生じる応力を、小突起部６３を介して、ハウジング５１からケース３０に効率よく逃がすこともできる。また、小突起部６３は、係合部に対して固定部とは反対側に形成されているので、小突起部６３によってケース３０が持ち上がっても、固定用孔部３６と固定用突起部５４との嵌合状態は確保することができる。
【００７３】
なお、本実施形態においては、図２０に示すように、ハウジング５１の長手方向における角部６４を丸みを帯びた形状とすると、小突起部６３を形成したことによる角部６４に集中する応力を緩和させることができる。また、応力が集中しやすいので、図２０に示すように、角部６４に対応するケース３０における角部４５の肉厚を他の部位よりも厚くすることがこのましい。この構成については、上述した各実施形態や変形例にも適用することができる。
【００７４】
また、本実施形態においては、図２２に示すように、ケース３０に対するプリント基板１０の挿入方向において、小突起部６３のケース奥側の端部６３ａが、係合部を構成する係止用突起部５５のケース奥側の端部（平坦面５５ｃ）よりも、ケース３０の底部３１ａに対して離れた位置となっている。このような構成とすると、係合部が係合した後に小突起部６３がケース３０に接触することとなるため、係止用突起部５５を切り欠き部３８の縁部３９に対してしっかりと係止させることができる。
【００７５】
また、本実施形態においては、図２３に示すように、切り欠き部３８の縁部３９が、ケース３０の奥側ほど肉厚とされ、係止用突起部５５が切り欠き部３８の縁部３９に対応して、ケース３０の奥側ほど肉厚が薄くされた構成となっている。このような構成とすると、ケース３０へのプリント基板１０の挿入時において、例えばケース３０の反りにより、ハウジング５１とケース３０とが若干離反していたとしても、係止用突起部５５が切り欠き部３８の縁部３９に係止される。すなわち、固定部の嵌合状態が解除されるのを効果的に抑制することができる。
【００７６】
なお、本実施形態に示した小突起部６３の態様については、第１実施形態に示した構成だけでなく、第１実施形態に示した変形例と組み合わせることができる。
【００７７】
以上、本発明の好ましい実施形態について説明したが、本発明は上述した実施形態になんら制限されることなく、本発明の主旨を逸脱しない範囲において、種々変形して実施することが可能である。
【００７８】
本実施形態においては、ケース３０に固定部としての固定用孔部３６と係合部としての切り欠き部３８が形成され、ハウジング５１に固定部としての固定用突起部５４と係合部としての係止用突起部５５が形成される例を示した。しかしながら、ケース３０に固定用孔部３６と係合用の係止用突起部４４が形成され、ハウジング５１に固定用突起部５４と係止用溝部６１の形成された構成としても良い。すなわち、ケース３０の少なくとも一壁部に、固定部を構成する一方と係合部を構成する一方が形成され、ハウジング５１に固定部を構成する他方と係合部を構成する他方が形成された構成とすれば良い。
【００７９】
また、本実施形態においては、ケース３０における上壁部３２及び下壁部３３に、固定部及び係合部がそれぞれ形成される例を示した。しかしながら、固定部及び係合部が形成される壁部も上記例に限定されるものではない。例えば、ケース３０における側壁部３１のみに、固定部及び係合部が形成された構成としても良い。また、上壁部３２及び下壁部３３のいずれかのみに、固定部及び係合部が形成された構成としても良い。
【００８０】
本実施形態においては、一壁部において、１つの固定部と２つの係合部が形成される例と、２つの固定部と１つの係合部が形成される例とを示した。しかしながら、一壁部における固定部、係合部の個数は上記例に限定されるものではない。例えば、一壁部において、１つの固定部と１つの係合部が形成された構成としても良い。また、固定部と係合部がともに複数形成された構成としても良い。
【００８１】
本実施形態においては、コネクタ５０の端子５２として、表面実装構造の端子を採用する例を示した。しかしながら、端子５２の形状は上記例に限定されるものではない。例えば、挿入実装構造の端子や、挿入実装部と表面実装部を併せ持つ端子を採用しても良い。
【００８２】
本実施形態においては、端子５２として、第１端子５２ａ〜第３端子５２ｃを有する例を示したが、端子５２の種類は上記例に限定されるものではない。例えば補強端子としての第３端子５２ｃを有さない構成としても良い。また、端子ブロックの個数、種類、配置も上記例に限定されるものではない。例えば、図９において、コネクタ５０の長手方向の両端に配置される第２端子５２ｂを、各ブロック５７，５８における第１端子５２ａの上段（５段目）に配置した構成としても良い。さらには、ハウジング５１に対する端子５２の段数や配置も上記例に限定されるものではない。
【００８３】
本実施形態においては、電子装置として電子制御装置１００の例を示した。しかしながら、側壁部の１つが開口部３４とされた矩形筒状のケース３０にプリント基板１０が収容され、プリント基板１０に実装されたコネクタ５０のハウジング５１によって、ケース３０の開口部３４が閉塞される構成の電子装置であれば適用することができる。
【００８４】
本実施形態においては、固定用孔部３６（ケース３０における固定用孔部３６の周囲部位）にばね機能を持たせるために、固定用孔部３６の周辺にばね用凹部３７を形成する例を示した。しかしながら、固定用突起部にばね機能を持たせた構成としても良い。
【００８５】
本実施形態においては、ケース３０の底部３１ａに保持部４１が形成される例を示した。しかしながら、保持部４１の形態は、本実施形態に示した例に限定されるものではない。また、ガイド部４２についても、本実施形態に示した例に限定されるものではない。例えば保持部４１のない構成としても良い。また、保持部４１やガイド部４２を、連続した形状ではなく、間を間引いた形状（断続的な形状）としても良い。
【００８６】
本実施形態においては、当て止め用突起部５３が、ケース３０の開口端全てと接するように環状に形成され、当て止め用突起部５３に係止用突起部５５が連結される例を示した。しかしながら、当て止め用突起部５３と係止用突起部５５とが離間する構成としても良い。また、当て止め用突起部５３を、連続した形状（環状）ではなく、間を間引いた形状（断続的な形状）としても良い。
【００８７】
本実施形態においては、係止用突起部５５が対応する切り欠き部３８の縁部３９に係止（係合部が係合）した後、固定用孔部３６に固定用突起部５４が嵌合（固定部が嵌合）するように固定部と係合部が構成される例を示した。しかしながら、先に固定部が嵌合した後に、係合部が係合する構成としても良い。
【図面の簡単な説明】
【００８８】
【図１】第１実施形態に係る電子制御装置の概略構成を示す斜視図である。
【図２】図１のＩＩ−ＩＩ線に沿う断面図である。
【図３】図１のＩＩＩ−ＩＩＩ線に沿う断面図である。
【図４】固定部周辺を示す斜視図である。
【図５】係合部周辺の斜視図である。
【図６】図５のＶＩ−ＶＩ線に沿う断面図である。
【図７】ハウジングの端部周辺の平面図である。
【図８】ケースの上壁部側から見たコネクタの平面図である。
【図９】外部コネクタとの嵌合側から見たコネクタの平面図である。
【図１０】プリント基板との接続側から見たコネクタの平面図である。
【図１１】図１０のＸＩ−ＸＩ線に沿う断面図であり、外部コネクタとの嵌合時に生じる応力の伝達の様子を模式的に示している。
【図１２】図１１に対する比較例を示す断面図であり、係合部を有さない構造における外部コネクタとの嵌合時に生じる応力の伝達の様子を模式的に示している。
【図１３】図１１に対する比較例を示す断面図であり、係合部を有さない構造において、固定部の嵌合状態が解除された状態を模式的に示している。
【図１４】変形例を示す斜視図である。
【図１５】変形例を示す平面図である。
【図１６】変形例を示す斜視断面図である。
【図１７】変形例を示す断面図である。
【図１８】第２実施形態に係る電子制御装置の概略構成を示す斜視図である。
【図１９】係合部を示す図であり、（ａ）は断面図、（ｂ）は（ａ）のＸＩＸＢ−ＸＩＸＢ線に沿う断面図である。
【図２０】第３実施形態に係る電子制御装置の概略構成を示す平面図である。
【図２１】小突起部による効果を示す図である。
【図２２】係合部を示す斜視図である。
【図２３】図２２のＸＸＩＩＩ−ＸＸＩＩＩ線に沿う断面図である。
【符号の説明】
【００８９】
１０・・・プリント基板
３０・・・ケース
３５・・・開口端
３６・・・固定用孔部
３８・・・切り欠き部（被係止部）
３９・・・切り欠き部の縁部
５０・・・コネクタ
５１・・・ハウジング
５４・・・固定用突起部
５５・・・係止用突起部
１００・・・電子制御装置（電子装置）
【図１】
0004428430.tif 000002
【図２】
0004428430.tif 000003
【図３】
0004428430.tif 000004
【図４】
0004428430.tif 000005
【図５】
0004428430.tif 000006
【図６】
0004428430.tif 000007
【図７】
0004428430.tif 000008
【図８】
0004428430.tif 000009
【図９】
0004428430.tif 000010
【図１０】
0004428430.tif 000011
【図１１】
0004428430.tif 000012
【図１２】
0004428430.tif 000013
【図１３】
0004428430.tif 000014
【図１４】
0004428430.tif 000015
【図１５】
0004428430.tif 000016
【図１６】
0004428430.tif 000017
【図１７】
0004428430.tif 000018
【図１８】
0004428430.tif 000019
【図１９】
0004428430.tif 000020
【図２０】
0004428430.tif 000021
【図２１】
0004428430.tif 000022
【図２２】
0004428430.tif 000023
【図２３】
0004428430.tif 000024